(57)【要約】【課題】浴室鏡の背部に温水配管が配置された防曇鏡において、デッドスペースを有効に利用できる浴室用防曇鏡を提供する。【解決手段】本発明は、浴室壁面に間隙を介して配置される浴室鏡の背面に、当接又は近接対向するよう温水配管が配設された浴室用防曇鏡である。浴室鏡の背部における前記温水配管の非配設部位に、所定の機能を有する機能部材が配置されている。【選択図】図１
2012239747.tif 000002
【特許請求の範囲】
【請求項１】
浴室壁面に間隙を介して配置される浴室鏡の背面に、当接又は近接対向するよう温水配管が配設された浴室用防曇鏡であって、
前記浴室鏡の背部における前記温水配管の非配設部位に、所定の機能を有する機能部材が配置されている
ことを特徴とする浴室用防曇鏡。
【請求項２】
前記機能部材が、被収納物を収納可能な収納装置である
ことを特徴とする請求項１記載の浴室用防曇鏡。
【請求項３】
前記収納装置が、前記浴室鏡の背部から引き出し可能な収納部を備えている
ことを特徴とする請求項２記載の浴室用防曇鏡。
【請求項４】
前記浴室鏡は、防曇領域と、この防曇領域に隣接した非防曇領域とを備え、
温水配管は、前記防曇領域に対応するよう配設された蛇行部と、非防曇領域に対応するよう配設された直線状部とを備え、
この直線状部の一側方又は両側方に、前記機能部材が配置されている
ことを特徴とする請求項１乃至請求項３のいずれか一項に記載の浴室用防曇鏡。
【請求項５】
前記温水配管は、第一端が水源側に接続され、第一端とは反対側の第二端がシャワー部に接続される
ことを特徴とする請求項１乃至請求項４のいずれか一項に記載の浴室用防曇鏡。
【請求項６】
前記機能部材が照明器具である
ことを特徴とする請求項１乃至請求項５のいずれか一項に記載の浴室用防曇鏡。
【発明の詳細な説明】
【技術分野】
【０００１】
本発明は、浴室内に設置される防曇鏡に関する。
【背景技術】
【０００２】
従来、浴室内に設けられる浴室用防曇鏡が知られている（例えば特許文献１参照）。この特許文献１記載の防曇鏡は、浴室壁の前方に隙間を介して配置される浴室鏡と、この浴室鏡の背面に当接又は近接対向するよう配設された温水配管とを備えている。浴室用防曇鏡は、温水配管内に温度の高い湯水が流通することで、この温水配管が浴室鏡を背面から加熱し、当該浴室鏡の表面が曇るのを防ぐ。
【先行技術文献】
【特許文献】
【０００３】
【特許文献１】特開２００５−３４２５５号公報
【発明の概要】
【発明が解決しようとする課題】
【０００４】
ところでこのような浴室用防曇鏡は、浴室鏡の背部に、少なくとも温水配管を配設できるような間隙が設けられている。温水配管は、浴室鏡の背面に沿って配設されているものの浴室鏡の背面に隙間無く配設されているわけではないため、浴室鏡の背部には温水配管の存在しない非配設部位も存在する。従来この温水配管の非配設部位は、浴室壁面と浴室鏡との間に温水配管の外径以上の間隙を有しているにも拘らず、有効に使用されておらず、いわゆるデッドスペースとなっていた。
【０００５】
本発明は、上記事情に鑑みてなされたものであり、その目的とするところは、浴室鏡の背部に温水配管が配置された防曇鏡において、デッドスペースを有効に利用できる浴室用防曇鏡を提供することにある。
【課題を解決するための手段】
【０００６】
本発明の浴室用防曇鏡は、浴室壁面に間隙を介して配置される浴室鏡の背面に、当接又は近接対向するよう温水配管が配設された浴室用防曇鏡であって、前記浴室鏡の背部における前記温水配管の非配設部位に、所定の機能を有する機能部材が配置されていることを特徴とする。
【０００７】
またこの浴室用防曇鏡において、前記機能部材が、被収納物を収納可能な収納装置であることが好ましい。
【０００８】
またこの浴室用防曇鏡において、前記収納装置が、前記浴室鏡の背部から引き出し可能な収納部を備えていることが好ましい。
【０００９】
またこの浴室用防曇鏡において、前記浴室鏡は、防曇領域と、この防曇領域に隣接した非防曇領域とを備え、温水配管は、前記防曇領域に対応するよう配設された蛇行部と、非防曇領域に対応するよう配設された直線状部とを備え、この直線状部の一側方又は両側方に、前記機能部材が配置されていることが好ましい。
【００１０】
またこの浴室用防曇鏡において、前記温水配管は、第一端が水源側に接続され、第一端とは反対側の第二端が、シャワー部に接続されることが好ましい。
【００１１】
またこの浴室用防曇鏡において、前記機能部材が照明器具であることが好ましい。
【発明の効果】
【００１２】
本発明の浴室用防曇鏡によれば、浴室鏡の背部のデッドスペースを有効に利用することができるようになる。
【図面の簡単な説明】
【００１３】
【図１】実施形態１の浴室用防曇鏡の正面図である。
【図２】実施形態１の浴室用防曇鏡の側断面図である。
【図３】実施形態２の浴室用防曇鏡の側断面図である。
【発明を実施するための形態】
【００１４】
以下、本発明の実施形態について添付図面に基づいて説明する。
【００１５】
実施形態１の浴室用防曇鏡１は、浴室壁面８１に沿って設置される。浴室用防曇鏡１は、図１に示されるように、前面に浴室鏡２２を備える防曇鏡本体２と、防曇鏡本体２内に配設された温水配管３と、この防曇鏡本体２内に収容配置された機能部材５とを備えている。また浴室用防曇鏡１は、防曇鏡本体２の下部に取り付けられる水栓装置６と、温水配管３に連通接続されるシャワー部７とをさらに備えている。
【００１６】
防曇鏡本体２は、中空箱形状をしており、浴室用防曇鏡１の主体を構成する。防曇鏡本体２は、図２に示されるように、前方及び下方が開口した本体部２１と、この本体部２１の前方を覆うように配設された浴室鏡２２とを備えている。防曇鏡本体２の下縁部には、その厚み内に（つまり本体部２１と浴室鏡２２との間に）、機能部材５としての照明器具５１が埋設されている。防曇鏡本体２は、その内部が温水配管３を収容するための配管収容部２３となっている。配管収容部２３は、浴室鏡２２の背部で且つ本体部２１の前方に位置している。
【００１７】
本体部２１は、その後面が、浴室壁面８１に当接した状態で固定されるようになっている。本体部２１の下端面の後方側には、浴室カウンター８２内から浴室壁面８１に沿って上方に延設された給湯管８３及び給水管８４が挿通される配管挿通孔２４が穿設されている。本体部２１は、上述のように前面に浴室鏡２２が取り付けられることで、当該浴室鏡２２と、浴室壁面８１との間に所定寸法の間隙２５を形成する。
【００１８】
浴室鏡２２は、前面が鏡面となった正面視長矩形状の板状部材により構成されており、その長手方向が上下方向に沿うよう配置されている。浴室鏡２２は、その下部に水栓装置６を取り付けるための水栓取付部２６が設けられている。この水栓取付部２６は、給湯管８３と給水管８４とを挿通するための水栓用挿通孔２６１と、水栓装置６内で混合された湯水が流通する温水配管３を挿通するための温水配管用挿通孔２６２とを有している。
【００１９】
浴室鏡２２は、くもり止め機能を有する防曇領域２７と、この防曇領域２７に隣接してくもり止め機能を有していない非防曇領域２８とを備えている。具体的に浴室鏡２２は、図１に示されるように、上下方向の略中央から下部に亘って防曇領域２７を有しており、この防曇領域２７よりも上方に非防曇領域２８を有している。浴室鏡２２は、その背面における防曇領域２７に対応する範囲に、シート状又は板状の熱伝導部材２９が敷設されている。この熱伝導部材２９は、温水配管３から伝熱した線状に分布した熱を、面状に拡大させて浴室鏡２２に伝熱するための部材であり、高い熱伝導性を有している。熱伝導部材２９は、例えば銅等により構成されている。
【００２０】
温水配管３は、浴室鏡２２の背面に当接又は近接対向するよう配設される。本実施形態の温水配管３は、浴室鏡２２に対し、熱伝導部材２９を介して配置されている。温水配管３は、水源側に位置する第一端３１と、この第一端３１とは反対側の上側に位置する第二端３２とを備えている。温水配管３は、第一端３１に水栓装置６に接続される接続口部３３を有しており、第二端３２にシャワー部７に接続される接続口部３４を有している。本実施形態の第二端３２は、図１に示されるように、ハンドシャワー７２に接続される第一のシャワー接続口部３５と、オーバーヘッドシャワー７１に接続される第二のシャワー接続口部３６と、これらの流路に分岐するための分岐部３７とを備えている。
【００２１】
また温水配管３は、浴室鏡２２の防曇領域２７に対応する部位に配設される蛇行部３８と、この蛇行部３８に連通すると共に非防曇領域２８に対応する部位に配設される直線状部３９とを備えている。すなわち本実施形態の温水配管３は、上流側から、水栓装置６に接続される接続口部３３・蛇行部３８・直線状部３９・シャワー部７に接続される接続口部３４の順に連通している。温水配管３は、蛇行部３８が、浴室鏡２２に敷設された熱伝導部材２９に当接するよう配設される。
【００２２】
機能部材５は、所定の機能を有するものであり、本実施形態では上述の照明器具５１及び収納装置５４により構成されている。機能部材５は、浴室鏡２２の背部における温水配管３の非配設部位４に配置されている。この温水配管３の非配設部位４は、浴室鏡２２の背面に当接又は近接対向するように温水配管３が配設された部分を除く部位を言い、言い換えれば、浴室鏡２２の背部の間隙２５内において、前後方向に温水配管３とは重ならない部位を言う。
【００２３】
照明器具５１は、浴室鏡２２の背部の下端部における温水配管３の非配設部位４に配置され、浴室鏡２２の外方に向けて光を照射するよう設置される。本実施形態の照明器具５１は、浴室鏡２２の下方に、当該浴室鏡２２の下端から隙間を介して配置された浴室カウンター８２に向けて光照射するよう配設されている。照明器具５１は、防曇鏡本体２の厚み内に埋設され且つ防曇鏡本体２の下縁に沿って長く形成された器具本体５２と、この器具本体５２内に収容された発光体５３とを備えている。本実施形態の照明器具５１は、いわゆる手元照明を構成する。
【００２４】
なお、機能部材５としての照明器具５１は、浴室鏡２２の下方に向けて光照射を行なうものでなくてもよい。すなわち、浴室鏡２２の横方向の側方や、上方に向けて光照射して、浴室壁面８１を照らし、間接照明を行なうものであってもよい。
【００２５】
収納装置５４は、図１，２に示されるように、浴室鏡２２の背部における非防曇領域２８に対応する部位で且つ温水配管３の非配設部位４に収容配置されている。収納装置５４は、防曇鏡本体２の厚み内に埋設され且つ側方に向けて引き出し可能な収納部５５を備えている。本実施形態の収納装置５４は、一対の収納部５５を有しており、この一対の収納部５５が、防曇鏡本体２内の温水配管３の直線状部３９の両側方にそれぞれ配置されている。本実施形態の収納部５５は、防曇鏡本体２内に収容されると、温水配管３の直線状部３９に近接対向するよう配置される。
【００２６】
本実施形態の収納部５５は、被収納物９を載置可能な棚板により構成されている。収納部５５は、防曇鏡本体２の内側に水平に架設された下板部５６を介して、水平方向にスライド自在に取り付けられている。収納部５５は、ユーザーにより横方向に引き出されることで横方向にスライド移動すると、正面視で浴室鏡２２から側方に突出し、ユーザーが被収納物９を載置することができる状態となる。一方、この状態からユーザーが収納部５５を防曇鏡本体２内に押し込み、スライド移動させると、収納部５５は、防曇鏡本体２内に収容され、正面視で浴室鏡２２と重なった収納位置に配置される。
【００２７】
なお被収納物９としては、例えば、浴室洗浄剤や浴室の清掃具といった浴室内の備品やシャンプーやリンス等が挙げられるが、特に限定されるものではない。
【００２８】
水栓装置６は、浴室鏡２２の下部に取り付けられる。水栓装置６は、給湯管８３及び給水管８４が接続され、さらに温水配管３が接続されている。水栓装置６は、カラン６１からの吐水（以下、カラン吐水）及びシャワー部７からの吐水（以下、シャワー吐水）のいずれかに、ユーザーが選択して切り替える切替レバー（図示せず）を備えている。また水栓装置６は、水量を調節する水量調節部（図示せず）と、熱湯と冷水との混合比を変えて湯温を調節する温度調節部（図示せず）とをさらに備えている。
【００２９】
水栓装置６は、給湯管８３及び給水管８４から流入した湯水を内部で混合したうえで、その混合した湯水を、カラン６１の吐水口か又は温水配管３に流出させる。すなわち水栓装置６は、切替レバーによりシャワー吐水が選択されている場合には、温度調節部と水量調節部とに基づいて湯水の水量及び湯温を調節し、調節した湯水を温水配管３へ流出させる。
【００３０】
シャワー部７は、図１に示されるように、温水配管３の第二端３２に連通接続されている。シャワー部７は、浴室鏡２２の上部に固定的に取り付けられているオーバーヘッドシャワー７１と、ユーザーが把持して使用することが可能なハンドシャワー７２とを備えている。
【００３１】
ハンドシャワー７２は、温水配管３の第一のシャワー接続口部３５に連通接続される。この第一のシャワー接続口部３５は、浴室鏡２２の上部側方に位置している。このハンドシャワー７２は、可撓性を有するホース部７３と、このホース部７３の下流側に連通接続され且つ把持部を有するシャワーヘッド部７４とを備えている。本実施形態の浴室用防曇鏡１は、分岐部３７よりも下流側の流路のうち、第一のシャワー接続口部３５側の流路を開閉させる第一の開閉弁（図示せず）を有している。
【００３２】
オーバーヘッドシャワー７１は、温水配管３の第二のシャワー接続口部３６に連通接続される。この第二のシャワー接続口部３６は、浴室鏡２２の上部に位置しており、図２のように、浴室鏡２２を前後に貫通する貫通路７５を介してオーバーヘッドシャワー７１に接続されている。本実施形態の浴室用防曇鏡１は、分岐部３７よりも下流側の流路のうち、第二のシャワー接続口部３６側の流路を開閉させる第二の開閉弁（図示せず）を有している。
【００３３】
次に、ユーザーが水栓装置６を操作してシャワー吐水に切り替えた場合の浴室用防曇鏡１の動作につき説明する。
【００３４】
まず、ユーザーが水栓装置６を操作して、シャワー吐水に切り替えて吐水を開始させると、給湯管８３及び給水管８４を流通する湯水は、水栓装置６に流入して混合される。そして混合後の湯水は、温水配管３に流入する。温水配管３に流入した湯水は、蛇行部３８を流通すると共に直線状部３９を流通し、オーバーヘッドシャワー７１及び／又はハンドシャワー７２に到達する。このとき、第一の開閉弁及び第二の開閉弁の開閉状態により、オーバーヘッドシャワー７１の吐水の有無及びハンドシャワー７２の吐水の有無が決定される。
【００３５】
湯水が温水配管３内を流通すると、その湯水により温水配管３が加熱される。湯水から熱を受け取った温水配管３は、蛇行部３８に当接または近接対向する熱伝導部材２９を介して浴室鏡２２の防曇領域２７を加熱する。浴室鏡２２の防曇領域２７が加熱されると、加熱された防曇領域２７には結露が生じにくくなって水滴が付着しにくくなり、これにより浴室鏡２２が曇るのを防ぐことができる。
【００３６】
このような構成の浴室用防曇鏡１は、浴室鏡２２の背部における温水配管３の非配設部位４に、機能部材５が配置されているため、従来デッドスペースとなっていた温水配管３の非配設部位４を有効に利用することができる。
【００３７】
しかも本実施形態の浴室用防曇鏡１は、機能部材５が被収納物９を収納可能な収納装置５４であるため、従来のデッドスペースに浴室内の備品等を収納することができ、デッドスペースが有効に利用できるうえに、被収納物９を浴室鏡２２の背部に隠すことができる。これにより、従来では浴室内に露出していた備品等を、隠した状態で収納でき、浴室内をすっきりとした外観とすることができる。
【００３８】
またこの収納装置５４が、浴室鏡２２の背部から引き出し可能な収納部５５を備えているため、ユーザーは簡単に収納部５５を引き出すことができ、使い勝手を向上させることができる。
【００３９】
また本実施形態の浴室用防曇鏡１は、温水配管３が、防曇領域２７に対応するよう配設された蛇行部３８と、非防曇領域２８に対応するよう配設された直線状部３９とを備え、この直線状部３９の一側方又は両側方に、機能部材５が配置されている。このため、浴室鏡２２において防曇領域２７を形成しながら、それでいて機能部材５の配置領域を確実に確保することができる。
【００４０】
また本実施形態の浴室用防曇鏡１は、温水配管３が、第一端３１が水源側に接続され、第一端３１とは反対側の第二端３２がシャワー部７に接続されるため、ユーザーがシャワー部７を使用する際の熱を利用してくもり止めを行なうことができる。つまり、例えば電気ヒータを利用した防曇鏡などのように、ランニングコストが大きく発生するのを防止することができる。
【００４１】
また、本実施形態の浴室用防曇鏡１は、機能部材５として、収納装置５４だけでなく浴室鏡２２の外方に向けて光を照射する照明器具５１を備えているため、照明装置の設置スペースの省スペース化を図ることができる。
【００４２】
本実施形態の浴室用防曇鏡１は、温水配管３を利用してくもり止めを図るものであるため、例えば電気ヒータ式の防曇鏡に対してユーザーが抱くような漏電の懸念をなくすことができ、ユーザーに安心感を与えることができる。また浴室鏡２２の表面に親水膜を積層した防曇鏡は、水垢汚れやシャンプーの泡等の飛沫などにより効果が低下してしまうが、本実施形態の浴室用防曇鏡１は、安定した防曇効果を発揮することができる。
【００４３】
次に、実施形態２について図３に基づいて説明する。なお、本実施形態は実施形態１と大部分において同じであるため、同じ部分においては同符号を付して説明を省略し、主に異なる部分について説明する。実施形態１では温水配管３が水栓装置６の下流側に接続されていたが、本実施形態は、温水配管３が水栓装置６の上流側に接続されており、主にこの点において実施形態１とは異なっている。
【００４４】
本実施形態の浴室用防曇鏡１は、浴室壁から延出する給湯管８３が、防曇鏡本体２内に収容配置された温水配管３の上端に連通接続されている。
【００４５】
温水配管３は、上方に直線状部３９を有しており、この直線状部３９の下流側（下方）に蛇行部３８を有している。この蛇行部３８は、浴室鏡２２の防曇領域２７に対応する部分に、熱伝導部材２９を介して設置されている。温水配管３は、浴室鏡２２の下部において、水栓装置６に接続される。
【００４６】
水栓装置６は、温水配管３と、浴室カウンター８２内から浴室壁に沿って配管された給水管８４とが接続されている。水栓装置６は、カラン６１の吐水口と、シャワー吐水部（図示せず）とを有しており、このシャワー吐水部にハンドシャワー７２が接続されている。水栓装置６は、温水配管３から流入した高温の湯と、給水管８４から流入した冷水とを混合し、カラン吐水とシャワー吐水を行なうよう構成されている。
【００４７】
なお、本実施形態の浴室用防曇鏡１には、実施形態１のようなオーバーヘッドシャワー７１は取り付けられていない。
【００４８】
浴室用防曇鏡１は、温水配管３の直線状部３９の両側に位置する温水配管３の非配設部位４に、機能部材５としての収納装置５４が配設されている。さらに、浴室鏡２２の下端部に位置する温水配管３の非配設部位４には、実施形態１と同様に、機能部材５としての照明器具５１が埋設されている。
【００４９】
このような構成においても、実施形態１のように、従来デッドスペースとなっていた温水配管３の非配設部位４を有効に利用することができる。
【００５０】
また、本実施形態の浴室用防曇鏡１は、シャワー吐水だけでなく、カラン吐水を行なうような場合でも、浴室鏡２２のくもり止め効果を発揮することができる。
【００５１】
なお、実施形態１，２の浴室用防曇鏡１は、機能部材５としての収納装置５４が、温水配管３の直線状部３９の両側に設けられていたが、本発明の浴室用防曇鏡１においては、温水配管３の直線状部３９の一方側のみに設けられたものであってもよい。
【００５２】
また、実施形態１，２の浴室用防曇鏡１は、機能部材５として、収納装置５４及び照明器具５１のいずれをも備えていたが、本発明の浴室用防曇鏡１は、収納装置５４だけでもよいし、あるいは照明器具５１だけでもよい。また本発明の浴室用防曇鏡１においては、機能部材５として収納装置５４や照明器具５１に限られず、所定の機能を有するものであればよい。また実施形態１，２の浴室用防曇鏡１は、機能部材５として複数の機能部材５を備えていたが、本発明の浴室用防曇鏡１における機能部材５は、単数でも複数でもよく、この点限定されるものではない。
【００５３】
また実施形態１，２の浴室用防曇鏡１は、いずれも、温水配管３が水栓装置６に接続されたものであったが、本発明の浴室用防曇鏡１においては、温水配管３が水栓装置６に接続されていないものであってもよい。すなわち、シャワー吐水やカラン吐水の熱を利用する必要はなく、くもり止め専用に温水配管３を配設したものであってもよい。
【００５４】
また実施形態１，２の収納装置５４は、引き出し可能な収納部５５を有していたが、本発明における収納装置５４は、収納部５５が引き出し可能に構成されたものでなくてもよい。
【００５５】
また実施形態１，２の浴室用防曇鏡は、熱伝導部材２９が浴室鏡２２の背面に敷設されていたが、本発明においては、必ずしも熱伝導部材２９が配設されている必要はない。また、本発明の浴室用防曇鏡は、温水配管が、浴室鏡の背面に当接するよう配設されていてもよいし、或いは近接対向するよう配設されていてもよい。
【符号の説明】
【００５６】
１      浴室用防曇鏡
２      防曇鏡本体
２１    本体部
２２    浴室鏡
２３    配管収容部
２５    間隙
２７    防曇領域
２８    非防曇領域
２９    熱伝導部材
３      温水配管
３１    第一端
３２    第二端
３８    蛇行部
３９    直線状部
４      非配設部位
５      機能部材
５１    照明器具
５４    収納装置
５５    収納部
６      水栓装置
７      シャワー部
７１    オーバーヘッドシャワー
７２    ハンドシャワー
８１    浴室壁面
８２    浴室カウンター
９      被収納物
【図１】
2012239747.tif 000003
【図２】
2012239747.tif 000004
【図３】
2012239747.tif 000005